(57)【要約】【課題】バンド係止部の先端側からロック解除作業を行えるようにすること。【解決手段】バンドロック部材１０は、長手方向に複数の被係止部２２が設けられたバンド２０と、一方向に貫通してバンド２０を挿通可能な一対のバンド挿通孔部３２が形成された本体部３０と、バンド挿通孔部３２の貫通方向一方側に向けて延出する形状に形成され、被係止部２２に対してバンド挿通孔部３２の貫通方向他方側から接触して係止可能な係止突部４２を含み、バンド挿通孔部３２内に係止突部４２を進出させて複数の被係止部２２に対して選択的に係止可能な係止姿勢と、バンド挿通孔部３２から係止突部４２を退避させた非係止姿勢との間で姿勢変更可能な一対のバンド係止部４０とを備える。バンド係止部４０は、バンド挿通孔部３２の貫通方向一方側から、係止姿勢から非係止姿勢側に向けて押圧可能なロック解除用押圧部４６を含む。【選択図】図５
2013219855.tif 000002
【特許請求の範囲】
【請求項１】
ワイヤーハーネスを保持するバンドロック部材であって、
長手方向に複数の被係止部が並んで設けられたバンドと、
一方向に貫通して前記バンドを挿通可能な一対のバンド挿通孔部が形成された本体部と、
前記バンド挿通孔部の貫通方向一方側に向けて延出する形状に形成され、前記被係止部に対して前記バンド挿通孔部の貫通方向他方側から接触して係止可能な係止突部を含み、前記バンド挿通孔部内に前記係止突部を進出させて前記各バンド挿通孔部に挿通される前記バンドの前記複数の被係止部に対して選択的に係止可能な係止姿勢と、前記バンド挿通孔部から前記係止突部を退避させた非係止姿勢との間で姿勢変更可能に形成された一対のバンド係止部と、
を備え、
前記バンド係止部は、前記バンド挿通孔部の貫通方向一方側から、係止姿勢から非係止姿勢側に向けて押圧可能なロック解除用押圧部を含む、バンドロック部材。
【請求項２】
請求項１に記載のバンドロック部材であって、
前記ロック解除用押圧部は、前記バンド係止部の先端部に設けられると共に前記バンド挿通孔部側を向く面を含む、バンドロック部材。
【請求項３】
請求項１又は請求項２に記載のバンドロック部材であって、
前記ロック解除用押圧部は、前記係止突部より前記バンド挿通孔部の貫通方向一方側に突出する形状に形成されている、バンドロック部材。
【請求項４】
請求項１から請求項３のいずれか一項に記載のバンドロック部材であって、
前記本体部は、前記一対のバンド挿通孔部を結ぶ方向において前記一対のバンド挿通孔部を挟んで対向する一対の側壁部が前記バンド挿通孔部の貫通方向一方側に開口する形状に切り欠かれた切欠部を含み、
前記バンド係止部は、前記切欠部の底部から前記バンド挿通孔部の貫通方向一方側に向けて延出する形状に形成されている、バンドロック部材。
【請求項５】
請求項１から請求項４のいずれか一項に記載のバンドロック部材であって、
前記バンド係止部は、前記バンド挿通孔部の貫通方向において前記係止突部から前記本体部の一方の端部までの領域に、隣合う前記被係止部同士の間隔より大きい間隔が設定されている、バンドロック部材。
【請求項６】
請求項１から請求項５のいずれか一項に記載のバンドロック部材であって、
前記ワイヤーハーネスを固定する対象である固定相手部に対して前記本体部を固定可能な固定部をさらに備える、バンドロック部材。
【発明の詳細な説明】
【技術分野】
【０００１】
この発明は、バンドに対するロック機構においてロック解除する技術に関する。
【背景技術】
【０００２】
特許文献１には、ワイヤーハーネスの設定位置に締め付け固定して車体等の被取付部材に取り付けられるバンドクリップが開示されている。このバンドクリップは、ワイヤーハーネスを固縛するワイヤーハーネス固縛部と、ワイヤーハーネス固縛部の基端に連接されワイヤーハーネス固縛部を先端側から挿通させて係止するワイヤーハーネス固縛部挿通係止部とを備えている。そして、ワイヤーハーネス固縛部をワイヤーハーネスに巻きつけた状態でワイヤーハーネス固縛部挿通係止部に挿通すると、ワイヤーハーネス固縛部の複数のロック用の溝のうちのいずれかに対してワイヤーハーネス固縛部挿通係止部のロック片が係合することにより、バンドクリップをワイヤーハーネスの設定位置に固定することができる。
【０００３】
ところで、特許文献１のようなバンドクリップにおけるワイヤーハーネス固縛部に対するワイヤーハーネス固縛部挿通係止部のロック状態において、ワイヤーハーネス固縛部の挿通方向の一方に向けてワイヤーハーネス固縛部を移動させたい場合には、ロック用の溝に対するロック片の係合を解除する必要がある。
【先行技術文献】
【特許文献】
【０００４】
【特許文献１】特開２００９−２４３５２６号公報
【発明の概要】
【発明が解決しようとする課題】
【０００５】
発明者は、被係止部が複数形成されたバンドと、バンドを挿通可能な一対のバンド挿通孔部が形成された本体部と、本体部の内壁部からバンド挿通孔部内に突出してバンド挿通路内に挿通されるバンドの被係止部に対して係止可能なバンド係止部とを備えるバンドロック部材を提案している。このバンドロック部材では、バンドを、一対のバンド挿通孔部の一方に対して貫通方向一方側から挿入して貫通方向他方側でワイヤーハーネスに対して巻き付けた後、他方のバンド挿通孔部に対して貫通方向他方側から挿入することにより、バンドがワイヤーハーネスを締め付けた状態に維持される。すなわち、一方のバンド挿通孔部に対しては、バンド係止部の係止面側からバンドを挿入することになる。
【０００６】
このため、発明者は、バンド係止部に、基端側の支点部よりバンド挿通路側で貫通方向他方側に面するロック解除用押圧面を設けることを提案している。すなわち、バンドが貫通方向一方側から一方のバンド挿通孔部に挿入される際に、貫通方向他方側すなわちバンド係止部の基端側からロック解除用押圧面を押圧することにより、バンド係止部が姿勢変更してバンド挿通路から退避してロックを解除できる。
【０００７】
しかしながら、上記構成では、バンド挿通孔部に対してバンドを挿通する貫通方向一方側すなわちバンド係止部の先端側からロックを解除することは困難である。
【０００８】
そこで、本発明は、バンド係止部の先端側からロック解除作業を行えるようにすることを目的とする。
【課題を解決するための手段】
【０００９】
第１の態様は、ワイヤーハーネスを保持するバンドロック部材であって、長手方向に複数の被係止部が並んで設けられたバンドと、一方向に貫通して前記バンドを挿通可能な一対のバンド挿通孔部が形成された本体部と、前記バンド挿通孔部の貫通方向一方側に向けて延出する形状に形成され、前記被係止部に対して前記バンド挿通孔部の貫通方向他方側から接触して係止可能な係止突部を含み、前記バンド挿通孔部内に前記係止突部を進出させて前記各バンド挿通孔部に挿通される前記バンドの前記複数の被係止部に対して選択的に係止可能な係止姿勢と、前記バンド挿通孔部から前記係止突部を退避させた非係止姿勢との間で姿勢変更可能に形成された一対のバンド係止部とを備え、前記バンド係止部は、前記バンド挿通孔部の貫通方向一方側から、係止姿勢から非係止姿勢側に向けて押圧可能なロック解除用押圧部を含む。
【００１０】
第２の態様は、第１の態様に係るバンドロック部材であって、前記ロック解除用押圧部は、前記バンド係止部の先端部に設けられると共に前記バンド挿通孔部側を向く面を含む。
【００１１】
第３の態様は、第１又は第２の態様に係るバンドロック部材であって、前記ロック解除用押圧部は、前記係止突部より前記バンド挿通孔部の貫通方向一方側に突出する形状に形成されている。
【００１２】
第４の態様は、第１から第３のいずれか一態様に係るバンドロック部材であって、前記本体部は、前記一対のバンド挿通孔部を結ぶ方向において前記一対のバンド挿通孔部を挟んで対向する一対の側壁部が前記バンド挿通孔部の貫通方向一方側に開口する形状に切り欠かれた切欠部を含み、前記バンド係止部は、前記切欠部の底部から前記バンド挿通孔部の貫通方向一方側に向けて延出する形状に形成されている。
【００１３】
第５の態様は、第１から第４のいずれか一態様に係るバンドロック部材であって、前記バンド係止部は、前記バンド挿通孔部の貫通方向において前記係止突部から前記本体部の一方の端部までの領域に、隣合う前記被係止部同士の間隔より大きい間隔が設定されている。
【００１４】
第６の態様は、第１から第５のいずれか一態様に係るバンドロック部材であって、前記ワイヤーハーネスを固定する対象である固定相手部に対して前記本体部を固定可能な固定部をさらに備える。
【発明の効果】
【００１５】
第１の態様に係るバンドロック部材によると、バンド挿通孔部の貫通方向一方側に向けて延出する形状に形成された一対のバンド係止部が、被係止部に対してバンド挿通孔部の貫通方向他方側から接触して係止可能な係止突部を、バンド挿通孔部内に進出させて各バンド挿通孔部に挿通されるバンドの複数の被係止部に対して選択的に係止可能な係止姿勢と、バンド挿通孔部から退避させた非係止姿勢との間で姿勢変更可能に形成されている。また、バンド挿通孔部の貫通方向一方側から、係止姿勢から非係止姿勢側に向けて押圧可能なロック解除用押圧部を含んでいる。このため、バンド係止部の係止面側からロック解除作業を行える。
【００１６】
第２の態様に係るバンドロック部材によると、ロック解除用押圧部が、バンド係止部の先端部に設けられると共にバンド挿通孔部側を向く面を含むため、容易にバンド挿通孔部の貫通方向一方側から、係止姿勢から非係止姿勢側に向けて押圧してバンド係止部を姿勢変更させることができる。
【００１７】
第３の態様に係るバンドロック部材によると、バンド係止部のロック解除用押圧部が、係止突部よりバンド挿通孔部の貫通方向一方側に突出する形状に形成されているため、係止突部がバンド挿通孔部内から退避した非係止姿勢に姿勢変更させやすい。
【００１８】
第４の態様に係るバンドロック部材によると、本体部が、一対のバンド挿通孔部を結ぶ方向において一対のバンド挿通孔部を挟んで対向する一対の側壁部がバンド挿通孔部の貫通方向一方側に開口する形状に切り欠かれた切欠部を含み、バンド係止部が、切欠部の底部からバンド挿通孔部の貫通方向一方側に向けて延出する形状に形成されている。このため、係止突部の被係止部に対する係止状態の視認性が向上し、より確実に係止状態にすることができる。
【００１９】
第５の態様に係るバンドロック部材によると、バンド係止部が、バンド挿通孔部の貫通方向において係止突部から本体部の一方の端部までの領域に、隣合う被係止部同士の間隔より大きい間隔が設定されている。このため、バンドの端部が本体部の一方の端部に沿って位置する場合でも、不意の事象により係止突部の被係止部に対する係止状態が解除されても、その隣に存在している被係止部に対して係止突部が係止可能であり、ワイヤーハーネスの保持状態をより確実に維持することができる。
【００２０】
第６の態様に係るバンドロック部材によると、ワイヤーハーネスを固定する対象である固定相手部に対して本体部を固定可能な固定部をさらに備えるため、ワイヤーハーネスを固定相手部に対して固定することができる。
【図面の簡単な説明】
【００２１】
【図１】ハーネスクランプの概略斜視図である。
【図２】ハーネスクランプの拡大図である。
【図３】ハーネスクランプの平面図である。
【図４】図３のＩＶ−ＩＶ線断面図である。
【図５】バンド係止部を非係止姿勢に姿勢変更させた状態を示す断面図である。
【図６】ハーネスクランプの断面図である。
【発明を実施するための形態】
【００２２】
以下、実施形態に係るバンドロック部材としてのハーネスクランプ１０について説明する（図１参照）。ハーネスクランプ１０は、ワイヤーハーネス１２を保持して固定相手部９０に対して固定するための部材である。
【００２３】
説明の便宜上、ハーネスクランプ１０の適用対象であるワイヤーハーネス１２及び固定相手部９０について説明しておく。
【００２４】
ワイヤーハーネス１２は、車両又は電気機器等（ここでは車両の例で説明する）に配索されるワイヤーハーネスであり、少なくとも１本の電線を有する線材である。このワイヤーハーネス１２は、配索経路に沿って車両に配索される。この際、ワイヤーハーネス１２は、延在方向において部分的に車両各部（固定相手部９０）に対して固定される。ここでは、固定相手部９０は、車体、ドアの一部を構成する金属パネルのうちの厚さ方向に貫通する固定用孔部９２が形成された部分である。そして、ワイヤーハーネス１２は、ハーネスクランプ１０が固定用孔部９２の開口縁部に対して係合することにより、固定相手部９０に対して固定される。
【００２５】
＜ハーネスクランプの構成＞
ハーネスクランプ１０は、バンド２０と、本体部３０と、バンド係止部４０と、固定部５０とを備えている（図１、図２参照）。概略的には、ハーネスクランプ１０は、ワイヤーハーネス１２の外周部に巻き付けられたバンド２０が本体部３０に設けられたバンド係止部４０により巻付形態に維持され、本体部３０に設けられた固定部５０が固定用孔部９２の開口縁部に対して固定されることにより、ワイヤーハーネス１２を固定相手部９０に固定する。また、ハーネスクランプ１０は、バンド係止部４０を操作してバンド係止部４０のバンド２０に対するロック状態を解除可能に構成されている。
【００２６】
ここでは、ハーネスクランプ１０は、本体部３０、固定部５０、バンド係止部４０が一体に形成された本体部材と、これとは別体に形成されたバンド２０とが組み合わされることにより構成される（図４参照）。本体部材及びバンド２０は、それぞれ、合成樹脂材料を射出成型等して形成されるとよい。
【００２７】
バンド２０は、ワイヤーハーネス１２の外周部に巻き付けられる部材である（図６参照）。このバンド２０は、長手方向に複数の被係止部２２が並んで設けられた帯状に形成されている。より具体的には、バンド２０は、一主面で開口する凹状の被係止部２２が、長手方向において間隔をあけて複数並んだ形状に形成されている。この被係止部２２は、略直方体状の内部空間を有する凹状に形成され、バンド２０の長手方向において対向する両壁面（被係止面）が前記長手方向に略直交する。
【００２８】
もっとも、バンド２０の被係止部２２は、上記形状に限られるものではなく、後述する一対のバンド係止部４０がそれぞれ係止可能なように、長手方向両側に係止面を有する形状に形成されていればよい。
【００２９】
本体部３０は、バンド２０が巻き付けられるワイヤーハーネス１２の外周部上に配設される部分である（図１〜図３参照）。この本体部３０は、略直方体ブロック状に形成され、ワイヤーハーネス１２に対して一主面（以下、支持面３８）を沿わせて配設される。また、本体部３０は、固定相手部９０の固定用孔部９２に挿入される部分でもある。以下、本体部３０を固定用孔部９２に挿入する向きを挿入方向Ｓと称し、本体部材自体の向きを説明する際にもこの挿入方向Ｓを用いる。なお、上記支持面３８は、本体部３０の挿入方向Ｓに直交する後端面である。
【００３０】
そして、本体部３０は、固定用孔部９２に対する挿入方向Ｓに直交する断面視において、固定用孔部９２に挿入可能な外形に設定されている（図３参照）。好ましくは、本体部３０は、挿入方向Ｓに直交する断面視一方向（後述する固定部５０の一対の係止部５２を結ぶ方向に直交する方向）において、固定用孔部９２に対してなるべくがたつきがない寸法に設定されているとよい。なお、なるべくがたつきがない寸法とは、固定用孔部９２のうちの対向する開口縁部同士の間隔と同じかそれより僅かに小さい寸法である。
【００３１】
また、本体部３０には、一方向に貫通してバンド２０を挿通可能な一対のバンド挿通孔部３２が形成されている。より具体的には、一対のバンド挿通孔部３２は、挿入方向Ｓに沿って貫通すると共に支持面３８で開口し、本体部３０の挿入方向Ｓに沿って扁平な略直方体状の内部空間を有する孔状に形成されている。また、一対のバンド挿通孔部３２は、挿入方向Ｓに沿って扁平に形成されている中間壁部３４を挟んで並列状に設けられている。また、一対のバンド挿通孔部３２を結ぶ方向において一対のバンド挿通孔部３２の各外側方には、それぞれ中間壁部３４に沿った側壁部３５が存在する。
【００３２】
そして、バンド２０の長手方向中間部分が本体部３０の支持面３８側でワイヤーハーネス１２の外周部に巻き付けられる形態で輪状にされ、一対のバンド挿通孔部３２にバンド２０の長手方向両端部側の部位がそれぞれ挿通される（図６参照）。すなわち、バンド２０は、両端部が一対のバンド挿通孔部３２の挿入方向Ｓ前方側から露出する姿勢で本体部３０にセットされる。ここで露出とは、バンド挿通孔部３２の挿入方向Ｓ前端部からの突出の有無は問わない。
【００３３】
また、本体部３０は、一対のバンド挿通孔部３２を結ぶ方向において一対のバンド挿通孔部３２を挟んで対向する一対の側壁部３５がバンド挿通孔部３２の貫通方向一方側（本体部３０の挿入方向Ｓ前方側）に開口する形状に切り欠かれた切欠部３６を含んでいる（図２参照）。この切欠部３６は、側壁部３５において、一対のバンド挿通孔部３２を結ぶ方向に貫通しており、該一対のバンド挿通孔部３２と外方とを側部においても連通させている。ここでは、切欠部３６は、矩形凹状に切り欠かれて形成されている。
【００３４】
バンド係止部４０は、バンド２０に係止して、バンド２０をワイヤーハーネス１２の外周部に巻き付けた形態に維持する部分である（図４〜図６参照）。ここでは、一対のバンド係止部４０は、一対のバンド挿通孔部３２に挿通されたバンド２０が、本体部３０の挿入方向Ｓ後方に移動することを規制可能に形成されている。
【００３５】
このバンド係止部４０は、バンド２０の複数の被係止部２２に対してバンド挿通孔部３２の貫通方向他方側（挿入方向Ｓ後方側）から接触して係止可能な係止突部４２を有している。そして、バンド係止部４０は、係止姿勢と非係止姿勢との間で姿勢変更可能に形成されている。ここで、係止姿勢とは、各バンド挿通孔部３２内に係止突部４２を進出させて各バンド挿通孔部３２に挿通されるバンド２０の複数の被係止部２２に対して係止可能な姿勢である。また、非係止姿勢とは、バンド挿通孔部３２から係止突部４２を退避させた姿勢である。
【００３６】
また、バンド係止部４０は、バンド挿通孔部３２の貫通方向一方側（挿入方向Ｓ前方側）に向けて延出する形状に形成されている。ここでは、バンド係止部４０は、本体部３０の切欠部３６の底部からバンド挿通孔部３２の貫通方向一方側（本体部３０の挿入方向Ｓ前方側）に向けて延出している。より具体的には、バンド係止部４０は、全体として側壁部３５に沿う板状に形成され、切欠部３６の内壁のうちの両側部に対して隙間をあける形態で設けられている。ここでは、バンド係止部４０は、外力が作用しない状態では、係止突部４２がバンド挿通孔部３２内に進出して、その他の部位が側壁部３５の断面領域内に配設されている。
【００３７】
また、バンド係止部４０は、基端部を基点として先端側部分が中間壁部３４に離間移動するように弾性変形可能に形成され、これにより、係止姿勢から非係止姿勢に姿勢変更可能となっている。ここでは、バンド係止部４０の本体部分は、側壁部３５より薄肉に設定されている。これにより、バンド係止部４０は本体部３０の他の部位より弾性変形しやすくなっている。換言すると、側壁部３５は、バンド係止部４０より弾性変形し難いように強度を高く設定されている。
【００３８】
また、ここでは、バンド係止部４０は、挿入方向Ｓにおいて、切欠部３６の深さ寸法より小さい寸法に設定されている。すなわち、バンド係止部４０の挿入方向Ｓ前方側には、切欠部３６の内側壁間に空間が確保されている。より具体的には、バンド係止部４０は、バンド挿通孔部３２の貫通方向（挿入方向Ｓ）において係止突部４２（係止面）から本体部３０の一端部（挿入方向Ｓ前端部）までの領域に、隣合う被係止部２２同士の間隔（複数の被係止部２２のピッチ）より大きい間隔が設定されている。ここでは、バンド係止部４０は、係止突部４２から本体部３０の挿入方向Ｓ前端部までの領域に２つの隣合う被係止部２２が存在し得る位置に形成されている。
【００３９】
係止突部４２は、バンド２０の被係止部２２に対して係止する部分である。この係止突部４２は、挿入方向Ｓにおいて、バンド係止部４０の中途部から中間壁部３４に向けて突出する形状に形成されている。より具体的には、係止突部４２は、バンド挿通孔部３２の貫通方向一方側（挿入方向Ｓ前方側）に向かう係止面を有している。ここでは、係止面は、挿入方向Ｓに略直交して挿入方向Ｓ前方側を向いている。また、係止突部４２は、挿入方向Ｓ前方側に向けて徐々に突出寸法が大きくなる形状に形成されている。ここでは、係止突部４２は、挿入方向Ｓ後方側に傾斜面を有し、断面視略直角三角形状に突出している。また、係止突部４２は、バンド２０の被係止部２２内に配設可能な大きさに設定されている。また、ここでは、バンド係止部４０は、挿入方向Ｓに間隔をあけて２つの係止突部４２を有している。なお、挿入方向Ｓにおける２つの係止突部４２の間隔は、複数の被係止部２２同士の間隔と略同じに設定されている。
【００４０】
そして、係止突部４２は、バンド係止部４０が係止姿勢にある状態では、バンド挿通孔部３２内に進入する。バンド挿通孔部３２にバンド２０が挿通されている状態では、係止突部４２は、複数の被係止部２２に対して選択的に嵌まり込んで係止する。すなわち、係止突部４２の係止面が、バンド２０の長手方向において対向する被係止部２２の内壁部に当接する。バンド係止部４０がバンド２０に対して係止した状態において、バンド２０がバンド挿通孔部３２内を挿入方向Ｓ前方に向けて移動されると、被係止部２２の開口縁部が係止突部４２の傾斜面に対して摺接して、係止突部４２は係止姿勢から非係止姿勢に姿勢変更する。その後、係止突部４２は、他の被係止部２２に対して嵌まり込んで係止する。
【００４１】
また、係止突部４２は、バンド係止部４０が非係止姿勢にある状態ではバンド挿通孔部から退避している。すなわち、バンド係止部４０（主として本体部分）が基端部を基点として中間壁部３４から離間する向きに弾性変形することにより、係止突部４２がバンド挿通孔部３２から退出して、バンド２０の被係止部２２に対して係止しない。
【００４２】
また、バンド係止部４０は、バンド係止部４０を係止姿勢から非係止姿勢に姿勢変更させる際に、力が加えられる部分であるロック解除用押圧部４６を有している。このロック解除用押圧部４６は、バンド挿通孔部３２の貫通方向一方側（挿入方向Ｓ前方側）から、係止姿勢から非係止姿勢側に向けて押圧可能に形成された部分である。より具体的には、ロック解除用押圧部４６は、バンド形成部４０の先端部に設けられると共にバンド挿通孔部３２側を向く係止面を含む。換言すると、ロック解除用押圧部４６は、挿入方向Ｓ前方側に露出され（バンド挿通孔部３２を通じて露出されていてもよい）且つバンド挿通孔部３２側を向く押圧面を有する形状に形成されている。ここでは、ロック解除用押圧部４６は、係止突部４２よりバンド挿通孔部３２の貫通方向一方側（挿入方向Ｓ前方側）に突出する形状に形成されている。
【００４３】
また、押圧面は、バンド挿通孔部３２側を向いて貫通方向（挿入方向Ｓ）に沿った形状に形成されている。すなわち、バンド係止部４０は、中間壁部３４から離間する向きに弾性変形されることにより係止姿勢から非係止姿勢に姿勢変更されるため、ロック解除用押圧部４６の係止面は、中間壁部３４側から押圧しやすい形状に形成されている。
【００４４】
そして、ロック解除用押圧部４６（押圧面）を中間壁部３４側から離間する向きに押圧することにより、バンド係止部４０は、基端部を基点として係止姿勢から非係止姿勢に姿勢変更する。また、押圧面に対する押圧を解除することにより、バンド係止部４０は、自身の弾性による元の形状に戻ろうとする力によって非係止姿勢から係止姿勢に姿勢変更しようとする。この際、バンド係止部４０は、バンド挿通孔部３２内にバンド２０が挿通されていないか係止突部４２の位置にバンド２０の被係止部２２が位置する場合には係止姿勢に姿勢変更し（図４、図６参照）、係止突部４２の位置に被係止部２２同士の間の部分が位置する場合には該部分に当接して非係止姿勢に維持される。
【００４５】
固定部５０は、本体部３０を固定相手部９０に対して固定する部分である。固定部５０は、係止部５２と、押え部５６とを有している（図２、図３参照）。
【００４６】
係止部５２は、固定用孔部９２の周縁部に対して本体部３０の挿入方向Ｓ前方側から係止する部分である。この係止部５２は、本体部３０（ここでは挿入方向Ｓ前端部）の外周面から外周側に張り出す形状に形成され、本体部３０の挿入方向Ｓ前方側から後方側に向けて徐々に張出寸法が大きくなっている。そして、係止部５２は、先端側部分が自由端とされて内周側に向けて弾性変形可能に形成されている。係止部５２の先端側部分には、挿入方向Ｓ後方に向かう係止面が設けられている。ここでは、係止面は、本体部３０の挿入方向Ｓにおいて段階的に複数設けられている。すなわち、固定相手部９０であるパネルの厚さによって周縁部に係止する係止面が変わる。また、ここでは、係止部５２は、本体部３０の外周部のうちの対向する２箇所に設けられている。
【００４７】
そして、係止部５２は、本体部３０が固定用孔部９２に挿入されるにつれて内周側に弾性変形すると共に、係止面が固定用孔部９２を越えると弾性変形前の形態に復帰する。これにより、係止部５２は、係止面が固定用孔部９２の周縁部に対して挿入方向Ｓ前方側から係止した状態となる。
【００４８】
押え部５６は、固定用孔部９２の周縁部に対して本体部３０の挿入方向Ｓ後方側から係止する部分である。この押え部５６は、本体部３０（ここでは挿入方向Ｓ後端部）の外周部から外周側に張り出す鍔状に形成されている。ここでは、押え部５６は、略楕円形状（具体的には一対の弧状部を一対の直線部が結ぶ形状）に形成されている。
【００４９】
また、押え部５６の外周側部分は、外周縁部に近づくにつれて本体部３０の挿入方向Ｓ前方側に向かう形状に形成されている。この押え部５６の外周側部分は、挿入方向Ｓ後方に向けて弾性変形可能（皿バネ状）である。押え部５６の外周縁部は、係止部５２の各係止面に対して、固定相手部９０の厚さ寸法より小さい間隔をあけて設けられている。
【００５０】
また、押え部５６の内周側部分は、挿入方向Ｓにおいて、係止部５２の各係止面に対して、固定相手部９０であるパネルの厚さ寸法と同じかそれより大きい（ここでは僅かに大きい）間隔をあけて設けられている。
【００５１】
そして、押え部５６は、本体部３０が固定用孔部９２に挿入されるにつれて挿入方向Ｓ後方に向けて弾性変形する。これにより、係止部５２が固定用孔部９２の周縁部に対して挿入方向Ｓ前方側から係止した状態で、押え部５６は固定用孔部９２の周縁部に対して挿入方向Ｓ後方側から係止する。すなわち、押え部５６の弾性変形前の形状に復帰しようとして固定用孔部９２の周縁部を押圧する力により、係止部５２が固定用孔部９２の周縁部に押し付けられ、固定用孔部９２が挿入方向Ｓにおいて係止部５２と押え部５６との間に挟まれた状態に維持される。
【００５２】
＜ハーネスクランプの使用態様＞
ハーネスクランプ１０の使用態様について説明する。
【００５３】
まず、ハーネスクランプ１０を、ワイヤーハーネス１２の外周面に対して支持面３８を沿わせる姿勢で配設する。このとき、ハーネスクランプ１０は、ワイヤーハーネス１２の延在方向が、支持面３８のうちの中間壁部３４の挿入方向Ｓ後端部の長手方向に沿うように配設されるとよい。もっとも、ハーネスクランプ１０は、バンド２０を一方のバンド挿通孔部３２に通してからワイヤーハーネス１２の外周部上に配設されてもよい。
【００５４】
次に、バンド２０の長手方向中間部分を支持面３８上のワイヤーハーネス１２の外周部に巻き付ける形態で、該バンド２０の両端側部分を一対のバンド挿通孔部３２に挿通した状態にする。
【００５５】
ここでは、バンド２０に用いられる材料の低減を図るため、長手方向に連続したバンド材料をロール状に収納した供給源から連続供給する。すなわち、固定対象となるワイヤーハーネス１２の中には、サイズ（径）が異なるものもある。このため、同じ長さに切断して準備したバンド２０を用いると、小さいサイズのワイヤーハーネス１２にハーネスクランプ１０を適用する際にバンド２０が余ってしまう。このバンド２０の余長分は、通常、切り落とされてしまう。そこで、本願発明者は、バンド材料を連続供給し、必要な長さだけバンド材料を引き出して供給側で切断することにより、ワイヤーハーネス１２のサイズに対応した必要な長さのバンド２０を得ることを提案している。
【００５６】
より具体的には、連続したバンド２０（バンド材料）を一方のバンド挿通孔部３２に対して挿入方向Ｓ前方から挿入する。この際、バンド係止部４０が係止姿勢にあるため、係止突部４２がバンド挿通孔部３２内に進出している。このため、係止突部４２をバンド挿通孔部３２内から退避させる。すなわち、ロック解除用押圧部４６の押圧面を中間壁部３４から離間する向きに押圧し、バンド係止部４０を非係止姿勢に姿勢変更させる。この作業は、図４、図５に示すような押圧用の治具８０を用いて行うとよい。なお、押圧用治具８０は、バンド係止部４０を非係止姿勢に姿勢変更した状態で、係止突部４２を越えてバンド挿通孔部３２内に進入することを抑制するため、係止突部４２の突出寸法とほぼ同じかそれより小さい厚さ寸法の扁平形状に形成されているとよい。
【００５７】
バンド係止部４０が非係止姿勢に姿勢変更されたままの状態で、バンド２０を一方のバンド挿通孔部３２に挿入していき（図５参照）、該一方のバンド挿通孔部３２の挿入方向Ｓ後方から引き出していく。そして、バンド２０を、一方のバンド挿通孔部３２から引き出しつつ、ワイヤーハーネス１２の外周部に巻き付けていく。ここでは、まだ、押圧用治具８０によりロック解除用押圧部４６を押圧してバンド係止部４０を非係止姿勢に維持しておく。もっとも、バンド２０を、一方のバンド挿通孔部３２から必要な長さ又はそれより多く引き出しておいて、ロック解除用押圧部４６に対する押圧力を解除してもよい。
【００５８】
さらに、ワイヤーハーネス１２の外周部を１周させたバンド２０を、他方のバンド挿通孔部３２に対して挿入方向Ｓ後方から挿入する。この際、バンド２０の端部又は被係止部２２の被係止面が係止突部４２の傾斜面に当接して、バンド係止部４０が係止姿勢から非係止姿勢に姿勢変更される。また、被係止部２２が係止突部４２の位置に移動したとき、バンド係止部４０は、係止突部４２が被係止部２２内に嵌まり込んで（バンド挿通孔部３２内に進出して）係止姿勢に姿勢変更する。
【００５９】
少なくとも、係止突部４２（ここでは両方）が被係止部２２に嵌まり込んで係止するまで、バンド２０を他方のバンド挿通孔部３２に挿入してから、バンド２０を締め付ける。すなわち、他方のバンド挿通孔部３２内に挿入されたバンド２０の他端側部分を挿入方向Ｓ前方側から引き出して、バンド２０の少なくともどちらか一方の端部を挿入方向Ｓ前方に引っ張る。これにより、バンド２０の長手方向中間部分がワイヤーハーネス１２を締め付けて本体部３０の挿入方向Ｓ後方側に保持する。
【００６０】
ここで、一方のバンド挿通孔部３２の挿入方向Ｓ前方から延出するバンド２０だけを引き出して締め付ければ、バンド材料の余長をより低減できる。また、バンド２０の端部を引っ張る際に、バンド２０は、本体部３０の挿入方向Ｓ後端部で、丸め部３７に当接しつつ一対のバンド挿通孔部３２内に引き込まれる。このため、バンド２０は、本体部３０の挿入方向Ｓ後端部でも、屈曲されずに丸め部３７の曲面に部分的又は全体的に沿って湾曲した形態となる。
【００６１】
そして、ここでは、ロック解除用押圧部４６が押圧されていないため、バンド係止部４０はバンド２０に係止して、挿入方向Ｓ後方へのバンド２０の移動を規制する。これにより、バンド２０によるワイヤーハーネス１２の締め付け状態を維持することができる。
【００６２】
この後、バンド挿通孔部３２から挿入方向Ｓ前方に延出するバンド２０を切断する。ここでは、一対のバンド挿通孔部３２から挿入方向Ｓ前方に延出するバンド２０の両端部のうち、本体部３０の挿入方向Ｓ前端部より前方に延出する部分を切断する。すなわち、本体部３０の挿入方向Ｓ前端部とバンド２０の両端部とは、略面一になる。
【００６３】
また、ここでは、上述したように、バンド係止部４０は、本体部３０の挿入方向Ｓにおいて係止突部４２から本体部３０の前端部までの領域に、隣合う被係止部２２同士の間隔より大きい間隔が設定されている。このため、切断されたバンド２０において、係止突部４２が係止した被係止部２２の挿入方向Ｓ前方側に別の被係止部２２が存在している。つまり、係止突部４２の被係止部２２に対する係止状態が解除されても、その被係止部２２の挿入方向Ｓ前方側の隣の被係止部２２に対して係止突部４２が係止可能である。
【００６４】
次に、ワイヤーハーネス１２を保持したハーネスクランプ１０を固定相手部９０に対して固定する。より具体的には、本体部３０を挿入方向Ｓに沿って固定用孔部９２に挿入することにより、本体部３０が固定相手部９０に対して固定される。すなわち、係止部５２及び押え部５６が、固定用孔部９２の周縁部に対してそれぞれ挿入方向Ｓ前後から係止する。これにより、ワイヤーハーネス１２のうちハーネスクランプ１０が取り付けられた部分は、所定の固定相手部９０に対して固定される。
【００６５】
上記構成に係るハーネスクランプ１０（バンドロック部材）によると、バンド挿通孔部３２の貫通方向一方側に向けて延出する形状に形成された一対のバンド係止部４０が、非係止部２２に対してバンド挿通孔部３２の貫通方向他方側から接触して係止可能な係止突部４２を、バンド挿通孔部３２内に進出させて各バンド挿通孔部３２に挿通されるバンド２０の複数の被係止部２２に対して選択的に係止可能な係止姿勢と、バンド挿通孔部３２から退避させた非係止姿勢との間で姿勢変更可能に形成されている。また、バンド挿通孔部３２の貫通方向Ｓ一方側から、係止姿勢から非係止姿勢側に向けて押圧可能なロック解除用押圧部４６を含んでいる。このため、バンド係止部４０の先端側からロック解除作業を行える。
【００６６】
そして、バンド係止部４０の先端側からロック解除作業を行える構成によると、少なくとも一方のバンド挿通孔部３２に対して貫通方向一方側からバンド２０を挿通する場合において、バンド２０挿通作業とロック解除作業とを同方向から行うことができる。これにより、ワイヤーハーネス１２に対する取付作業（結束作業）の作業性を向上させることができる。
【００６７】
また、バンド２０挿通作業とロック解除作業とを同方向から行えることにより、ワイヤーハーネス１２に対する取付作業（結束作業）を専用の機械により自動で行う場合において、バンド２０を挿通する機構とロック解除を行う機構とを挿入方向Ｓ前方側にまとめることができる。このため、専用の自動機械の省スペース化に寄与する。
【００６８】
また、ロック解除用押圧部４６が、バンド係止部４０の先端部に設けられると共にバンド挿通孔部３２側を向く面を含むため、容易にバンド挿通孔部３２の貫通方向一方側から、係止姿勢から非係止姿勢側に向けて押圧してバンド係止部４０を姿勢変更することができる。
【００６９】
また、バンド係止部４０のロック解除用押圧部４６が、係止突部４２よりバンド挿通孔部３２の貫通方向一方側に突出する形状に形成されているため、係止突部４２がバンド挿通孔部３２内から退避した非係止姿勢に姿勢変更させやすい。
【００７０】
また、本体部３０が、一対のバンド挿通孔部３２を結ぶ方向において一対のバンド挿通孔部３２を挟んで対向する一対の側壁部３５がバンド挿通孔部３２の貫通方向一方側に開口する形状に切り欠かれた切欠部３６を含み、バンド係止部４０が、切欠部３６の底部からバンド挿通孔部３２の貫通方向一方側に向けて延出する形状に形成されている。このため、係止突部４２の被係止部２２に対する係止状態の視認性が向上し、より確実に係止状態にすることができる。
【００７１】
また、バンド係止部４０が切欠部３６の底部から突出する構成によると、側壁部の内面から突出する形状に形成する場合と比較して、基端部を肉厚にして強度を向上させることができる。また、バンド係止部が側壁部の内面から突出してバンド挿通孔部３２内に設けられる場合と比較して、バンド挿通孔部３２を狭くすることができ、その分中間壁部３４又は側壁部３５を肉厚にして本体部３０の強度を向上させることができる。
【００７２】
また、バンド係止部４０が、バンド挿通孔部３２の貫通方向において係止突部４２から本体部３０の一端部までの領域に、隣合う被係止部２２同士の間隔より大きい間隔が設定されている。このため、不意の事象により係止突部４２の被係止部２２に対する係止状態が解除されても、その隣に存在している被係止部２２に対して係止突部４２が係止可能であり、ワイヤーハーネス１２の保持状態をより確実に維持することができる。
【００７３】
また、ワイヤーハーネス１２を固定する対象である固定相手部９０に対して本体部３０を固定可能な固定部５０をさらに備えるため、ワイヤーハーネス１２を固定相手部９０に対して固定することができる。
【００７４】
これまで、ハーネスクランプ１０について、本体部３０に切欠部３６が形成され、バンド係止部４０が切欠部３６の底部から延出する形状に形成されている例で説明してきたが、この形状に限られるものではない。すなわち、ハーネスクランプは、切欠部３６が省略され、バンド係止部が側壁部３５の内面から突出する形状に形成され、姿勢変更可能にされていてもよい。
【００７５】
また、バンド係止部４０の係止突部４２と本体部３０の挿入方向Ｓ前端部との間に間隔が設定され、係止突部４２が本体部３０における挿入方向Ｓの中途部分に形成されているが、この間隔は省略されてもよい。
【００７６】
また、ロック解除用押圧部４６について、係止突部４２より挿入方向Ｓ前方側に突出する例で説明してきたが、この形状に限られるものではなく、挿入方向Ｓ前方側に露出すると共にバンド挿通孔部３２側に臨む押圧面を有していればよい。例えば、ロック解除用押圧部は、バンド係止部の先端部で凹状に形成されていてもよい。すなわち、内壁面のうちのバンド挿通孔部３２側に臨む面が押圧面である。そして、押圧用治具８０をバンド係止部の先端部から凹状のロック解除用押圧部内に挿入して、バンド挿通孔部３２から離間する向きに押圧面を押圧すれば、バンド係止部を係止姿勢から非係止姿勢に姿勢変更させることができる。
【００７７】
また、ロック解除用押圧部４６の押圧面が一対のバンド挿通孔部３２を結ぶ方向に対して直交する形状に形成されている例で説明してきたが、これに限られず、外側方（中間壁部３４から離間する向き）にバンド係止部４０を姿勢変更させる力を作用させるように押圧可能であればよい。
【００７８】
また、これまで、バンドロック部材としてハーネスクランプ１０の構成について説明してきたが、他の構成を採用してもよい。例えば、バンド２０と、本体部３０と、バンド係止部４０とを備える構成（上記実施形態から固定部５０を省略した構成）を採用し、ワイヤーハーネス１２を構成する複数の電線等を結束して保持する用途に用いることができる。
【００７９】
上記構成のバンドロック部材を採用した場合でも、ロック解除用押圧部４６が設けられた簡易な構成でバンド２０の挿入側と同じ側からバンド係止部４０の係止状態を解除可能であり、一方のバンド挿通孔部３２に対してバンド係止部４０の先端側からバンド２０を容易に通すことができる。これにより、バンド材料を連続供給してバンド材料の余りを抑制することができる。
【００８０】
また、バンドロック部材としてのハーネスクランプにおいて、係止部５２及び押え部５６を有する固定部５０とは異なる固定構造が採用されてもよい。例えば、粘着面を有して固定相手部９０に対して貼り付け可能な固定構造（この場合は固定相手部の固定用孔部は不要）、固定相手部９０に対してネジ止め可能な固定構造等を採用することができる。
【００８１】
以上のように、バンドロック部材としてのハーネスクランプ１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００８２】
１０  ハーネスクランプ
１２  ワイヤーハーネス
２０  バンド
２２  被係止部
３０  本体部
３２  バンド挿通孔部
３４  中間壁部
３５  側壁部
３６  切欠部
４０  バンド係止部
４２  係止突部
４６  ロック解除用押圧部
５０  固定部
９０  固定相手部
Ｓ  挿入方向
【図１】
2013219855.tif 000003
【図２】
2013219855.tif 000004
【図３】
2013219855.tif 000005
【図４】
2013219855.tif 000006
【図５】
2013219855.tif 000007
【図６】
2013219855.tif 000008